(57)【要約】  ユーザのニーズに沿った広告を出力することができる加熱調理器を提供する。加熱調理器（１）は、インターネット（１０２）を介してクラウドサーバ（２００）と通信可能に接続される。加熱調理器（１）は、情報を出力するスピーカ（１０）および表示パネル（３４１）と、クラウドサーバ（２００）によって提供された質問をスピーカ（１０）および表示パネル（３４１）に出力させる質問出力制御部（１１３）と、前記質問に対してクラウドサーバ（２００）に回答する質問回答部（１１４）と、前記質問に対する回答に応じてクラウドサーバ（２００）から取得した広告をスピーカ（１０）および表示パネル（３４１）に出力させる広告出力制御部（１１５）と、を備える。
2019053910.tif 000002
【特許請求の範囲】
【請求項１】
通信ネットワークを介してサーバと通信可能に接続される加熱調理器であって、
情報を出力する出力装置と、
前記サーバによって提供された質問を前記出力装置に出力させる質問出力制御部と、
前記質問に対して前記サーバに回答する質問回答部と、
前記質問に対する回答に応じて前記サーバから取得した広告を前記出力装置に出力させる広告出力制御部と、を備えていることを特徴とする加熱調理器。
【請求項２】
前記出力装置は、音声により広告を出力する音声出力装置を含み、
前記広告出力制御部は、前記音声出力装置の出力が設定されているときに、前記出力装置に広告を出力させ、前記音声出力装置の出力の停止が設定されているときに、前記出力装置に広告を出力させないことを特徴とする請求項１に記載の加熱調理器。
【請求項３】
ユーザが行う操作によって前記サーバに前記質問の提供を要求する質問要求部をさらに備えていることを特徴とする請求項２に記載の加熱調理器。
【請求項４】
前記広告出力制御部は、前記音声出力装置の出力の停止が設定されているときに、ユーザが前記操作を行うと、前記音声出力装置の出力を設定するようにユーザに促すことを特徴とする請求項３に記載の加熱調理器。
【請求項５】
前記サーバが広告の提供を可能であることを報知する広告提供報知部をさらに備えていることを特徴とする請求項１から４のいずれか１項に記載の加熱調理器。
【請求項６】
請求項１から５のいずれか１項に記載の加熱調理器としてコンピュータを機能させるための広告出力プログラムであって、各部としてコンピュータを機能させるための広告出力プログラム。
【請求項７】
請求項６に記載の広告出力プログラムを記録したコンピュータ読み取り可能な記録媒体。
【請求項８】
通信ネットワークを介して請求項１から５のいずれか１項に記載の加熱調理器と通信可能に接続されるサーバであって、
前記加熱調理器に提供する前記質問および前記加熱調理器に提供する前記広告を記憶する記憶装置と、
前記記憶装置に記憶された前記質問を前記加熱調理器に提供する質問提供部と、
前記質問に対して前記加熱調理器から返送された前記回答に応じた前記広告を特定して前記加熱調理器に提供する広告提供部と、を備えていることを特徴とするサーバ。
【発明の詳細な説明】
【技術分野】
【０００１】
本発明は、広告を出力する加熱調理器に関する。
【背景技術】
【０００２】
従来、加熱調理を行う加熱調理器には、インターネットを介して種々の情報を取得できるように構成されたものがある。例えば、特許文献１には、データ送信装置からネットワーク回線を通じて送信された宣伝情報に基づいて広告を表示出力および音声出力する調理装置が開示されている。
【先行技術文献】
【特許文献】
【０００３】
【特許文献１】日本国公開特許公報「特開２００１−９０９５３号（２００１年４月３日公開）」
【発明の概要】
【発明が解決しようとする課題】
【０００４】
上記の調理装置は、広告主が用意した広告が一方的に調理装置に送信されるので、ユーザのニーズに沿った広告を出力することができなかった。【０００５】
本発明の一態様は、ユーザのニーズに沿った広告を出力することができる加熱調理器を提供することを目的とする。
【課題を解決するための手段】
【０００６】
上記の課題を解決するために、本発明の一態様に係る加熱調理器は、通信ネットワークを介してサーバと通信可能に接続される加熱調理器であって、情報を出力する出力装置と、前記サーバによって提供された質問を前記出力装置に出力させる質問出力制御部と、前記質問に対して前記サーバに回答する質問回答部と、前記質問に対する回答に応じて前記サーバから取得した広告を前記出力装置に出力させる広告出力制御部と、を備えている。
【発明の効果】
【０００７】
本発明の一態様によれば、ユーザのニーズに沿った広告を出力することができる加熱調理器を提供することができるという効果を奏する。
【図面の簡単な説明】
【０００８】
【図１】本発明の実施形態１〜３に係る通信システムの構成を示すブロック図である。
【図２】上記通信システムにおける本発明の実施形態１に係る加熱調理器の外観の構成を示す斜視図である。
【図３】上記加熱調理器の内部の構成を示す斜視図である。
【図４】上記加熱調理器の制御系の構成を示すブロック図である。
【図５】上記加熱調理器のシステム構成を示すブロック図である。
【図６】上記通信システムにおける実施形態１に係るクラウドサーバのシステム構成を示すブロック図である。
【図７】上記通信システムにおける広告データの配信の処理手順を示すフローチャートである。
【図８】本発明の実施形態２に係る加熱調理器のシステム構成を示すブロック図である。
【図９】（ａ）〜（ｇ）は図８に示す加熱調理器による予約時刻設定および予約時刻変更のための画面を示す図である。
【図１０】本発明の実施形態３に係る加熱調理器のシステム構成を示すブロック図である。
【発明を実施するための形態】
【０００９】
〔実施形態１〕
本発明の一実施の形態について図１〜図７に基づいて説明すれば、以下の通りである。
【００１０】
まず、本実施形態に係る通信システムの概略構成について説明する。
【００１１】
図１は、本実施形態に係る通信システム１００の構成を示すブロック図である。
【００１２】
図１に示すように、通信システム１００は、加熱調理器１と、クラウドサーバ２００（サーバ）と、無線ＬＡＮアクセスポイント１０１と、インターネット１０２（通信ネットワーク）とを含んで構成されている。
【００１３】
加熱調理器１は、無線ＬＡＮ（Local Area Network）に接続して通信を行う機能を備えている。無線ＬＡＮアクセスポイント１０１は、加熱調理器１とともに建屋３００内に設置された電波中継機である。
【００１４】
クラウドサーバ２００は、加熱調理器１に提供する広告データを格納している。クラウドサーバ２００は、インターネット１０２に接続されており、インターネット１０２を介して加熱調理器１と通信することができる。
【００１５】
続いて、加熱調理器１について詳細に説明する。
【００１６】
図２は、加熱調理器１の外観の構成を示す斜視図である。図３は、加熱調理器１の内部の構成を示す斜視図である。
【００１７】
図２および図３に示すように、加熱調理器１は、本体部２と、蓋体３と、内鍋４とを備えている。
【００１８】
図３に示すように、本体部２は、内部に内鍋４を収容する筐体（外鍋）である。本体部２は、外ケース２１と、内ケース２２とを有している。外ケース２１は外装体である。
【００１９】
内ケース２２は、外ケース２１の内側に配置され、その内部に内鍋４を保持する。内ケース２２は、耐熱性および電気絶縁性を有する材料で形成されている。
【００２０】
内ケース２２には、内鍋４を加熱する誘導コイル５および後述する内鍋４の温度を検出する温度センサ６が設けられている。誘導コイル５は、本体部２の内部に内鍋４を収容した状態で内鍋４に接触する位置に配置されている。温度センサ６は、本体部２の内部に内鍋４を収容した状態で内鍋４に接触する位置に配置されている。
【００２１】
蓋体３は、外蓋３１、内蓋３２および撹拌機構３３を備えている。外蓋３１は、ヒンジ部７を介して外ケース２１に組み付けられている。これにより、蓋体３は、内鍋４の開口部４ａを開閉するように、本体部２に回動可能に支持されている。
【００２２】
内蓋３２は、外蓋３１における内鍋４との対向面側に、着脱可能に取り付けられている。内蓋３２の一部には、ガラスあるいは透明樹脂等の透明材料からなる透明部３２ａが設けられている。
【００２３】
一方、外蓋３１における透明部３２ａと重なる部分には、透明部３２ａの少なくとも一部を露出させる窓部３１ａが設けられている。窓部３１ａは、貫通口もしくはガラスや透明樹脂等の透明材料からなり、透明部３２ａを介して内鍋４の内部を確認することができるようになっている。
【００２４】
また、外蓋３１の上面には、操作および表示のための操作表示部３４が設けられている。操作表示部３４は、表示パネル３４１と、スタート・決定ボタン３４２と、第１送りボタン３４３と、第２送りボタン３４４と、戻るボタン３４５と、問合せボタン３４６と、取消しボタン３４７と、予約ボタン３４８とを有している。
【００２５】
表示パネル３４１は、情報を出力する出力装置であり、ユーザが選択する各項目を表示するために設けられている。項目としては、メニュー、設定、再加熱等が挙げられる。表示パネル３４１は、複数の項目を１つの画面に表示する。当該画面においては、複数の項目のうちの１つが選択されていることを示すように、文字と背景とが他の項目と反転した状態で表示されている（反転表示）。表示パネル３４１は、複数の項目が１つの画面で表示しきれない場合は、複数の画面を切り替えて表示する。また、表示パネル３４１は、予約調理の予約時刻を設定・変更するなどの設定のための画面を表示する。
【００２６】
スタート・決定ボタン３４２は、後述する予約調理を含む調理の開始を指示するための操作ボタンである。また、スタート・決定ボタン３４２は、表示パネル３４１に表示されている、ユーザの決定が必要な事項を決定するための操作ボタンとしても機能する。
【００２７】
第１送りボタン３４３は、表示パネル３４１に表示された項目を選択するために、上記の反転表示の位置を順方向に移動させる操作ボタンである。第１送りボタン３４３を１回押す操作が行われると、反転表示が後の項目に移動する。反転表示が画面の最後の項目にある状態で第１送りボタン３４３を１回押す操作が行われると、表示パネル３４１には次の画面が切り替わって表示される。また、第１送りボタン３４３は、時刻設定の際に時間および分を増加させる操作にも用いられる。
【００２８】
第２送りボタン３４４は、表示パネル３４１に表示された項目を選択するために、上記の反転表示の位置を逆方向に移動させる操作ボタンである。第２送りボタン３４４を１回押す操作が行われると、反転表示が後の項目に移動する。反転表示が画面の最後の項目にある状態で第２送りボタン３４４を１回押す操作が行われると、表示パネル３４１には前の画面が切り替わって表示される。また、第２送りボタン３４４は、時刻設定の際に時間および分を減少させる操作にも用いられる。
【００２９】
戻るボタン３４５は、前の画面に表示を戻す操作ボタンである。
【００３０】
上記の第１送りボタン３４３、第２送りボタン３４４および戻るボタン３４５は、項目を選択するための操作ボタン部３４９を構成している。
【００３１】
問合せボタン３４６は、クラウドサーバ２００への問い合わせ行うための操作ボタンである。また、問合せボタン３４６には、ランプ３４６ａ（広告提供報知部）が設けられている。
【００３２】
ランプ３４６ａは、ＬＥＤ（Light Emitting Diode）などの小型の光源素子によって構成されている。ランプ３４６ａは、問合せボタン３４６と異なる箇所に設けられていてもよいが、問合せボタン３４６の操作に関連して点滅が制御されるため、問合せボタン３４６またはその近傍に設けられることが好ましい。
【００３３】
取消しボタン３４７は、操作ボタン部３４９を用いて操作した結果の設定などを取り消すための操作ボタンである。
【００３４】
予約ボタン３４８は、調理仕上がり時刻を予約する予約調理の設定を行うための操作ボタンである。
【００３５】
蓋体３の内部には、制御基板８、モータ９およびスピーカ１０が設けられている。制御基板８は、後述する制御系の部品が実装された基板である。モータ９は、撹拌機構３３を回転させるための駆動源として設けられている。スピーカ１０は、情報を出力する出力装置（音声出力装置）であり、後述するように音声を出力するために設けられている。
【００３６】
撹拌機構３３は、内蓋３２における内鍋４との対向面側に、着脱可能に取り付けられている。撹拌機構３３は、回転体３３３を備えるとともに、第１回転アーム３３１および第２回転アーム３３２を備えている。
【００３７】
撹拌機構３３は、図示しない回転軸により、内蓋３２を介して、外蓋３１に、回転可能に支持されている。回転軸は、図示しない駆動力伝達機構（プーリ、ベルト機構等）を介してモータ９の駆動軸に連結されている。
【００３８】
第１回転アーム３３１および第２回転アーム３３２は、それらの一端が、それぞれ回転体３３３に連結されており、回転体３３３とともに回転する。第１回転アーム３３１および第２回転アーム３３２は、それぞれ、図３に実線で示す倒伏状態と、図３に二点鎖線で示す起立状態とをとり得る。
【００３９】
蓋体３を閉め、第１回転アーム３３１および第２回転アーム３３２を、図３に矢印で示すように起立させた状態で回転させることにより、内鍋４に収容した被加熱物を撹拌することができる。加熱調理器１は、第１回転アーム３３１および第２回転アーム３３２により、内鍋４に収容した被加熱物を自動で撹拌することが可能である。
【００４０】
内鍋４の上部の外周縁部の一部には、第１把手部４１および第２把手部４２が、互いに対向して設けられている。第１把手部４１および第２把手部４２は、例えばプラスチック等、耐熱性および電気絶縁性を有する材料で形成される。
【００４１】
続いて、加熱調理器１の制御系について説明する。図４は、加熱調理器１の制御系の構成を示すブロック図である。図５は、加熱調理器１のモータ制御系の構成を示すブロック図である。
【００４２】
図４に示すように、加熱調理器１は、制御系の主要部として、ＣＰＵ１１と、ＲＯＭ（Read Only Memory）１２と、ＲＡＭ（Random Access Memory）１３とを備えている。また、加熱調理器１は、モータ９を駆動するモータ駆動回路１４と、スピーカ１０を駆動するスピーカ駆動回路１５と、時計回路１６と、通信部１７と、ランプ駆動回路１８とを備えている。
【００４３】
ＣＰＵ１１は、ＲＯＭ１２に格納された制御プログラムを実行することによって、各部を制御する。具体的には、ＣＰＵ１１は、操作表示部３４の表示制御、操作表示部３４への操作の受け付け、誘導コイル５のＯＮ・ＯＦＦ制御および温度制御、モータ駆動回路１４およびスピーカ駆動回路１５の駆動制御、通信部１７の制御などを行なう。ＲＡＭ１３は、調理に必要なメニューデータ、予約調理のための予約データなどを記憶している。メニューデータは、メニューに応じた加熱調理器１の各部の制御手順などを含んでいる。
【００４４】
モータ駆動回路１４は、ＣＰＵ１１から出力される駆動データに基づいてモータ９に印加する駆動電圧を生成する。また、スピーカ駆動回路１５は、ＣＰＵ１１から出力されるデジタルの音声データをアナログの音声信号に変換するＡ／Ｄ変換器、音声信号を増幅するアンプなどを含む回路である。時計回路１６は、現在時刻を提供するために設けられている。通信部１７は、無線ＬＡＮによる通信を行うための通信回路を含む部分である。ランプ駆動回路１８は、駆動電流を供給することによって上述のランプ３４６ａを駆動する回路である。
【００４５】
なお、後述する実施形態２および３における加熱調理器１Ａ，１Ｂ（図１参照）も、図２および図３に示す構造および図４に示す制御系と同じものを備えている。
【００４６】
次に、加熱調理器１のシステム構成について説明する。
【００４７】
図５は、加熱調理器１のシステム構成を示すブロック図である。
【００４８】
図５に示すように、加熱調理器１は、対話制御部１１０と、設定部１２０と、ランプ点滅制御部１４０と、調理制御部１５０とを有している。
【００４９】
対話制御部１１０は、クラウドサーバ２００が用意する広告を加熱調理器１において出力するためのクラウドサーバ２００との対話を制御する。対話制御部１１０は、上記の対話を制御するために、広告送信通知受付部１１１と、質問要求部１１２と、質問出力制御部１１３と、質問回答部１１４と、広告出力制御部１１５とを有している。
【００５０】
広告送信通知受付部１１１は、クラウドサーバ２００が、加熱調理器１に出力される広告のデータ（広告データ）を送信することが可能であるという通知（広告送信通知）を受け付ける。広告送信通知受付部１１１は、当該通知を受け付けると、後述するランプ点滅制御部１４０にランプ３４６ａを点滅させるように指示する。
【００５１】
質問要求部１１２は、操作表示部３４の問合わせボタン３４６への操作に基づいて、クラウドサーバ２００に対して質問（質問データ）の提供を要求する。質問データは、表示用の質問データと、音声出力用の質問データとが個別に用意されており、一まとまりの形態でクラウドサーバ２００から提供される。
【００５２】
質問出力制御部１１３は、クラウドサーバ２００から提供された表示用の質問データに基づいて質問（質問が記載された質問画面）を表示するように表示パネル３４１を制御する。また、質問出力制御部１１３は、クラウドサーバ２００から提供された音声出力用の質問データを音声データとしてスピーカ駆動回路１５に出力する。
【００５３】
質問回答部１１４は、ユーザによる操作ボタン部３４９の操作に応じて決定された回答をクラウドサーバ２００へ送信するように通信部１７を制御する。
【００５４】
広告出力制御部１１５は、クラウドサーバ２００から質問の回答に応じて提供された広告データに基づいて広告を出力するように、表示パネル３４１およびスピーカ駆動回路１５を制御する。広告データは、表示用の広告データと、音声出力用の広告データとが個別に用意されており、一まとまりの形態でクラウドサーバ２００から提供される。広告出力制御部１１５は、表示用の広告データに基づいて広告（広告が記載された広告画面）を表示するように表示パネル３４１を制御する。また、広告出力制御部１１５は、音声出力用の広告データを音声データとしてスピーカ駆動回路１５に出力する。
【００５５】
設定部１２０は、ユーザの操作ボタン部３４９による操作にしたがって各種の設定を行う。例えば、設定部１２０は、ＲＡＭ１３に記憶されている音声出力設定データＳＯＳＤを設定する。また、設定部１２０は、ユーザの操作ボタン部３４９による操作にしたがって、一旦設定された音声出力設定データＳＯＳＤを変更する。音声出力設定データＳＯＳＤは、スピーカ１０の音声出力のＯＮまたはＯＦＦと、音声出力のＯＮ状態における音量とを定めている。音量は、例えば大、中、小の３段階に設定される。
【００５６】
ランプ点滅制御部１４０は、広告送信通知受付部１１１からの指示を受けて、ランプ駆動回路１８にランプ３４６ａを点滅させる点滅制御信号を出力する。また、ランプ点滅制御部１４０は、音声出力設定データＳＯＳＤがＯＦＦに設定されている場合、広告送信通知を受けてもランプ点滅制御信号を出力しない。
【００５７】
調理制御部１５０は、ＲＡＭ１３に記憶されているメニューデータに基づいて、調理を実行するために各部を制御する。具体的には、調理制御部１５０は、温度センサ６による検出温度に基づいて内鍋４の温度を監視しており、内鍋４の温度がメニューデータに規定された所定の温度となるように、誘導コイル５のＯＮ・ＯＦＦおよび温度を制御する。また、調理制御部１５０は、メニューデータに規定されたメニューに応じて食材を撹拌するために撹拌機構３３を稼働させるときに、撹拌機構３３を回転させるタイミング、撹拌機構３３の回転方向などを制御するように、モータ駆動回路１４を制御する。
【００５８】
調理制御部１５０は、加熱が開始したことと、加熱が終了したこととをクラウドサーバ２００へ通知するように通信部１７を制御する。
【００５９】
引き続き、クラウドサーバ２００について説明する。図６は、クラウドサーバ２００のシステム構成を示すブロック図である。
【００６０】
図６に示すように、クラウドサーバ２００は、インターネット１０２を介して加熱調理器１と通信が可能である。クラウドサーバ２００は、サーバコンピュータであり、記憶装置２０１と、通信部２０２とを備えている。また、クラウドサーバ２００は、加熱調理器１への広告の提供を管理するために、広告提供管理部２０３を備えている。
【００６１】
記憶装置２０１は、ＨＤＤ（Hard Disc Drive）、ＳＳＤ（Solid State Drive）などの大容量の装置である。
【００６２】
記憶装置２０１には、質問データ群ＱＤが記憶されるとともに、広告データベースＡＤＢが構築されている。
【００６３】
質問データ群ＱＤは、加熱調理器１に提供する多数の質問と、当該質問に対する回答（選択肢）とを含んでいる。質問は、季節の話題、ユーザの属性、ユーザの趣味・嗜好など、あらゆる方面で設定されている。質問に対する回答は、複数の選択肢から１つを選択する択一形式で用意されている。
【００６４】
広告データベースＡＤＢは、質問データ群ＱＤで用意されている質問の各選択肢（回答）と関連付けた広告データを蓄積したデータベースである。広告データとしては、広告を表示するための広告表示データと、広告を発話するための広告発話データとが用意されている。また、広告データにより規定される広告の内容は、例えば広告主から提供される。
【００６５】
通信部２０２は、インターネット通信を行うための通信回路を含む部分である。
【００６６】
広告提供管理部２０３は、広告送信通知部２０３ａと、質問提供部２０３ｂと、広告提供部２０３ｃとを有している。
【００６７】
広告送信通知部２０３ａは、加熱調理器１において加熱調理が行われている期間に、加熱調理器１に提供できる広告データが広告データベースＡＤＢに存在している場合、そのことを加熱調理器１に通知する。
【００６８】
質問提供部２０３ｂは、加熱調理器１から質問の要求を受けると、記憶装置２０１に記憶されている質問データ群ＱＤから１つの質問を選んで加熱調理器１に提供する。
【００６９】
広告提供部２０３ｃは、質問に対する回答を加熱調理器１から受けると、当該回答に対応する広告データを広告データベースＡＤＢから取得して、加熱調理器１に提供する。
【００７０】
上記のように構成される通信システム１００における広告データの配信動作について説明する。図７は、通信システム１００における広告データの配信の処理手順を示すフローチャートである。
【００７１】
まず、加熱調理器１が無線ＬＡＮアクセスポイント１０１に接続されている必要がある。このため、ユーザは、操作表示部３４の表示パネル３４１に表示されるガイドメッセージにしたがって、接続のための手続を行う。具体的には、ユーザは、表示パネル３４１に表示される、無線ＬＡＮのＯＮ・ＯＦＦを選択する画面、無線ＬＡＮアクセスポイント１０１への接続に同意を求める画面、接続動作の指示入力を促す画面において、スタート・決定ボタン３４２を操作することで、接続のための手続を実行する。
【００７２】
加熱調理器１がこのようにして無線ＬＡＮアクセスポイント１０１に接続された状態で加熱を開始すると、調理制御部１５０は、通信部１７を介して加熱調理器１が加熱を開始したことをクラウドサーバ２００に通知する（ステップＳ１）。
【００７３】
クラウドサーバ２００において、広告提供管理部２０３の広告送信通知部２０３ａは、加熱開始の通知を通信部２０２を通じて受けると、広告データベースＡＤＢにユーザに提供できる広告データがあるか否かを判定する（ステップＳ１０１）。広告送信通知部２０３ａは、ユーザに提供できる広告データがあると判定した場合（ステップＳ１０１のＹＥＳ）、広告データが送信可能であることを通信部２０２を介して加熱調理器１に通知する（ステップＳ１０２）。
【００７４】
加熱調理器１において、対話制御部１１０の広告送信通知受付部１１１は、広告データが送信可能であるという通知をクラウドサーバ２００から受けると、ランプ点滅制御部１４０にランプ３４６ａを点滅させる指示を与える。ランプ点滅制御部１４０は、この指示を受けて、ランプ駆動回路１８に点滅制御信号を出力する。ランプ駆動回路１８は、この点滅制御信号によってランプ３４６ａに駆動電流を供給することによりランプ３４６ａを駆動する。この結果、ランプ３４６ａが点滅する（ステップＳ２）。これにより、クラウドサーバ２００に提供できる広告データが存在すること通知し、問合せボタン３４６の操作をユーザに促すことができる。
【００７５】
対話制御部１１０の質問要求部１１２は、ランプ３４６ａが点滅を開始してから所定時間が経過するまでに問合せボタン３４６が操作されたか否かを判定する（ステップＳ３）。質問要求部１１２は、問合せボタン３４６が操作されたと判定すると（ステップＳ３のＹＥＳ）、質問データの送信を通信部１７を通じてクラウドサーバ２００に要求する（ステップＳ４）。
【００７６】
クラウドサーバ２００において、広告提供管理部２０３の質問提供部２０３ｂは、加熱調理器１からの質問データの送信要求を通信部２０２を通じて受けると、記憶装置２０１に記憶されている質問データ群ＱＤから１つの質問を特定する（ステップＳ１０３）。質問提供部２０３ｂは、質問を特定するときに、まず、質問を受け付けた日時に基づいて、季節の話題に関する質問を選択するようにしてもよいし、ユーザの属性（性別、年齢層など）あるいはユーザの趣味・嗜好に関する質問を選択するようにしてもよい。
【００７７】
質問提供部２０３ｂは、質問を特定すると、その質問データを通信部２０２を通じて加熱調理器１に送信する（ステップＳ１０４）。
【００７８】
加熱調理器１において、対話制御部１１０の質問出力制御部１１３は、クラウドサーバ２００から送信された質問データに基づいて質問の出力を制御する。質問出力制御部１１３は、質問の出力制御において、質問画面を表示するように表示パネル３４１を制御するとともに、質問内容を発話するための音声データをスピーカ駆動回路１５に出力する。
【００７９】
これにより、表示パネル３４１およびスピーカ１０は、質問を出力する（ステップＳ５）。具体的には、表示パネル３４１は、質問とともに当該質問に対応する複数の回答を選択肢として含む質問画面を表示する。質問画面には、例えば、冬が近づいている時期では、「暖房機器の準備をしましたか」という質問とともに、「準備した」、「準備していない」、「新しく暖房機器を購入する」、「暖房機器は使用しない」といった回答が含まれている。
【００８０】
また、スピーカ１０は、質問内容と、その質問に対して質問画面から選択するように促すメッセージを出力（発話）する。例えば、スピーカ１０は、上記の質問に対して、「暖房機器の準備をしましたか？画面の選択肢から選んでね。」というメッセージを出力する。
【００８１】
ここで、ユーザが、質問の出力に対して操作ボタン部３４９を操作することによって質問に対する回答を複数の選択肢から１つ選んで決定する。この回答の決定に応じて、対話制御部１１０の質問回答部１１４は、当該回答を通信部１７を通じてクラウドサーバ２００に送信（返送）する（ステップＳ６）。
【００８２】
クラウドサーバ２００において、広告提供管理部２０３の広告提供部２０３ｃは、通信部２０２を通じて受信した質問に対する回答に基づいて、広告データベースＡＤＢから当該回答に対応する広告データを検索して特定する（ステップＳ１０５）。また、広告提供部２０３ｃは、特定した広告データを通信部２０２を通じて加熱調理器１に送信する（ステップＳ１０６）。
【００８３】
加熱調理器１において、対話制御部１１０の広告出力制御部１１５は、クラウドサーバ２００から送信された広告データに基づいて広告の出力を制御する。広告出力制御部１１５は、広告の出力制御において、広告画面を表示するように表示パネル３４１を制御するとともに、広告内容を発話するための音声データをスピーカ駆動回路１５に出力する。
【００８４】
これにより、表示パネル３４１およびスピーカ１０は、広告を出力する（ステップＳ７）。具体的には、表示パネル３４１は、広告内容を記載した広告画面を表示する。例えば、前述の「暖房機器の準備をしましたか」という質問に対する「新しく暖房機器を購入する」という回答に対して、「寒い冬には×××（企業名）のヒータがおススメ」という広告が記載された広告画面が表示される。また、スピーカ１０は、上記の広告内容（メッセージ）を出力（発話）する。ここで、広告画面は、×××（企業名）のヒータを広告するための動画でもよい。
【００８５】
調理制御部１５０は、加熱が終了したか否かを判定し（ステップＳ８）、加熱が終了したと判定すると（ＹＥＳ）、クラウドサーバ２００に加熱が終了したことを通信部１７を通じて通知する（ステップＳ９）。
【００８６】
クラウドサーバ２００において、広告提供管理部２０３は、加熱終了の通知を通信部２０２を通じて受けると、広告を加熱調理器１に提供する処理を終える。
【００８７】
また、クラウドサーバ２００の広告送信通知部２０３ａは、ユーザに提供できる広告データがないと判定した場合（ステップＳ１０１のＮＯ）、そのまま処理を終える。また、加熱調理器１の質問要求部１１２は、問合せボタン３４６が操作されなかったと判定すると（ステップＳ３のＮＯ）、処理をステップＳ９に移行させる。
【００８８】
本実施形態の通信システム１００は、インターネット１０２を介して相互に通信可能な加熱調理器１と、クラウドサーバ２００とを備え、加熱調理器１が対話制御部１１０を有する一方、クラウドサーバ２００が広告提供管理部２０３を有している。また、広告提供管理部２０３は、加熱調理器１に対して提供した質問に対する回答を受けると、当該回答に応じた広告を加熱調理器１に提供する。加熱調理器１は、広告出力制御部１１５により、クラウドサーバ２００から提供された広告を出力する。
【００８９】
これにより、ユーザのニーズに応じた広告を加熱調理器１を介してユーザに提供することができる。したがって、広告効果をより高めることができる。
【００９０】
なお、広告出力制御部１１５は、ＲＡＭ１３に記憶された音声出力設定データＳＯＳＤが音声出力ＯＦＦに設定されている場合、表示パネル３４１およびスピーカ１０に広告を出力させないように制御してもよい。
【００９１】
これにより、スピーカ１０の出力の停止が設定されている場合、スピーカ１０だけでなく表示パネル３４１も広告を出力しない。音声が無く、表示パネル３４１に画像が表示されるだけでは広告の報知効果が小さくなってしまうが、そういった状態を回避することができる。
【００９２】
広告出力制御部１１５は、音声出力設定データＳＯＳＤが音声出力ＯＦＦに設定されている場合、ランプ点滅制御部１４０にランプ３４６ａの点滅制御をしないように指示してもよい。また、音声出力ＯＦＦに設定されている場合に問合せボタン３４６が操作されると、広告出力制御部１１５は、音声出力ＯＦＦの設定を解除することを促すメッセージを表示するように、表示パネル３４１を制御する。そして、広告出力制御部１１５は、音声出力設定データＳＯＳＤが音声出力ＯＮに切り替えられて、音声出力ＯＦＦの設定が解除された状態で、問合せボタン３４６が操作されると、表示パネル３４１およびスピーカ１０を広告を出力するように制御する。
【００９３】
これにより、ユーザが意図せずに、音声出力装置の出力の停止が設定された状態となっていると、広告は出力されない。そこで、スピーカ１０の出力を設定するようにユーザに促すことで、ユーザは、広告の出力を希望すれば、スピーカ１０の出力を設定するので、広告の出力が可能になる。
【００９４】
あるいは、広告出力制御部１１５は、音声出力設定データＳＯＳＤが音声出力ＯＦＦに設定されている場合、ランプ点滅制御部１４０にランプ３４６ａの点滅を制御させた上で、音声出力ＯＦＦの設定を解除して問合せボタン３４６を操作することを促すメッセージを表示パネル３４１に表示させてもよい。
【００９５】
また、クラウドサーバ２００からの質問の提供は、必ずしも操作ボタン部３４９の操作を契機としなくてもよい。例えば、クラウドサーバ２００の質問提供部２０３ｂは、加熱調理器１から加熱を開始した通知を受けると、質問を加熱調理器１に提供してもよい。また、クラウドサーバ２００からの質問の提供は、必ずしも加熱開始から加熱終了までの間としなくてもよい。加熱調理中以外でも、任意のタイミングで質問を加熱調理器１に提供してもよい。
【００９６】
また、本実施形態では、撹拌機構３３を備えた加熱調理器１について説明した。本発明は、このような加熱調理器１に限らず、インターネット１０２に接続可能に構成することができれば、炊飯器、オーブンレンジなどの加熱調理器にも適用が可能である。
【００９７】
〔実施形態２〕
本発明の他の実施形態について、図１、図８および図９に基づいて説明すれば、以下の通りである。なお、説明の便宜上、実施形態１にて説明した構成要素と同じ機能を有する構成要素については、同じ符号を付記し、その説明を省略する。
【００９８】
図８は、本実施形態に係る加熱調理器１Ａのシステム構成を示すブロック図である。
【００９９】
図１に示すように、本実施形態に係る通信システム１００は、加熱調理器１Ａと、クラウドサーバ２００Ａと、無線ＬＡＮアクセスポイント１０１と、インターネット１０２とを含んで構成されている。
【０１００】
図８に示すように、加熱調理器１Ａは、実施形態１の加熱調理器１における対話制御部１１０に代えて予約設定部１６０を有している。
【０１０１】
また、加熱調理器１ＡにおいてＲＯＭ１２は、メニューデータＭＤを記憶している。メニューデータＭＤは、人数、材料、調理時間、調理パターン（加熱温度、撹拌機構３３の可動タイミングなど）、材料の投入タイミングといった、後述する調理制御部１５０が指定されたメニューの調理を実行するために各部を制御する各種の情報である。
【０１０２】
予約設定部１６０は、調理仕上がり予定時刻（以降「予約時刻」と称する）を設定する機能、および予約時刻を変更する機能とを実現するために、予約受付部１６１と、予約変更部１６２とを有している。
【０１０３】
予約受付部１６１は、ＲＯＭ１２に予め記憶されているメニューデータＭＤから、ユーザによって指定されたメニューに対応するメニューデータＭＤを読み出して、このメニューデータＭＤと、ユーザによって設定（予約）された予約時刻の時刻データＴＤとを組み合わせた予約データＲＤを生成する。また、予約受付部１６１は、生成した予約データＲＤをＲＡＭ１３に書き込む。
【０１０４】
予約変更部１６２は、操作表示部３４からユーザの操作による予約時刻の変更の要求を受けたとき、時刻データＴＤで規定される予約時刻が、変更可能であるか否かを判定する。予約変更部１６２は、予約時刻の変更が変更可能な時間条件を満たすときに、ＲＡＭ１３に記憶されている時刻データＴＤを要求に応じて書き替えるとともに、予約時刻を変更したメッセージを表示パネル３４１に表示させる。また、予約変更部１６２は、予約時刻の変更が変更可能な時間条件を満たさないために不可であるときに、予約変更ができないことを表示するように表示パネル３４１を制御する。
【０１０５】
本実施形態における調理制御部１５０は、調理における時間管理を行うために、予約データＲＤにおけるメニューデータＭＤ（調理時間）および時刻データＴＤから調理開始時刻を算出する。また、調理制御部１５０は、時計回路１６から出力される現在時刻に基づいて、調理開始時間に達したことを認識する。
【０１０６】
調理制御部１５０は、予約ボタン３４８の操作後にスタート・決定ボタン３４２が操作されることによって、予約調理を開始し、通常の調理と同じように加熱調理を実行するように各部を制御する。また、調理制御部１５０は、予約調理において、加熱調理が終了すると、内鍋４の温度を加熱調理時の温度より低い一定の温度に維持させる保温状態となるように誘導コイル５を制御する。そして、調理制御部１５０は、保温状態から、予約時刻に料理が食べごろの温度になるまで再加熱するように誘導コイル５を制御する。
【０１０７】
調理制御部１５０は、調理が終了したことをクラウドサーバ２００Ａへ通知するように通信部１７を制御する。
【０１０８】
上記のように構成される通信システム１００による予約時刻を変更する動作について説明する。図９の（ａ）〜（ｇ）は、加熱調理器１Ａによる予約時刻設定および予約時刻変更のための画面を示す図である。
【０１０９】
まず、ユーザが、予めメニューデータＭＤに基づいてメニューを決定した状態で予約ボタン３４８を操作すると、予約受付部１６１は、図９の（ａ）に示す予約設定画面４００を表示パネル３４１に表示させる。ユーザが、予約ボタン３４８の第１送りボタン３４３および第２送りボタン３４４を操作することにより予約時刻の時間と分とを決めて、スタート・決定ボタン３４２を操作する。
【０１１０】
予約受付部１６１は、スタート・決定ボタン３４２が操作されることによって予約データＲＤを決定して、当該予約データＲＤを、加熱調理終了時刻、予約限界時刻などの情報と併せてＲＡＭ１３に書き込んで登録する。また、予約受付部１６１は、必要に応じて、予約データＲＤを、通信部１７を通じて、クラウドサーバ２００Ａへ送信させる。これにより、クラウドサーバ２００Ａには、予約データＲＤが登録される。スマートフォンなどの携帯端末装置がクラウドサーバ２００Ａに接続すれば、携帯端末装置において予約データＲＤを確認できるようにしてもよい。
【０１１１】
ここで、加熱調理終了時刻は、予約調理の開始とともに開始する加熱調理の終了時刻であり、メニューによって定まる。加熱限界時刻は、予約開始時刻から、加熱せずに保温状態を維持したまま食材が傷まない限界の時間（例えば１５時間）後の時刻である。
【０１１２】
予約受付部１６１は、予約データＲＤの登録が完了すると、図９の（ｂ）に示す予約開始画面４１０を表示パネル３４１に表示させて、予約が受け付けられて開始したことをユーザに報知する。予約開始画面４１０は、予約ボタン３４８の長押しで予約時刻変更が可能であるというメッセージを含んでいる。
【０１１３】
また、ユーザが設定した予約時刻が予約設定可能な範囲を超える場合、予約受付部１６１は、図９の（ｃ）に示す設定エラー画面４２０を表示パネル３４１に表示させて、予約が受け付けらずに開始できなかったことをユーザに報知する。
【０１１４】
予約変更部１６２は、ユーザが予約ボタン３４８を長押しすることにより、図９の（ｄ）に示す予約時刻変更画面４３０を表示パネル３４１に表示させる。この予約時刻変更画面４３０には、変更可能な時刻の範囲が記載されている。予約変更部１６２は、ユーザによる第１送りボタン３４３および第２送りボタン３４４の操作に応じて、予約時刻の時間および分を送ったり戻したりする。
【０１１５】
予約変更部１６２は、ユーザがスタート・決定ボタン３４２を操作すると、ユーザにより新たに定められた予約時刻を決定し、ＲＡＭ１３における予約データＲＤの時刻データＴＤを当該予約時刻に書き替える。また、このとき、予約変更部１６２は、図９の（ｅ）に示す予約時刻変更確認画面４４０を表示パネル３４１に表示させて、予約時刻の変更が行われたことをユーザに報知する。
【０１１６】
また、ユーザが変更を所望する予約時刻が予約設定可能な範囲を超える場合、予約変更部１６２は、図９の（ｆ）に示す変更エラー画面４５０を表示パネル３４１に表示させて、予約変更ができなかったことをユーザに報知する。
【０１１７】
さらに、予約時刻変更画面４３０が表示パネル３４１に表示されている状態でユーザによって取消しボタン３４７が操作されると、予約変更部１６２は、図９の（ｇ）に示す調理終了確認画面４６０を表示パネル３４１に表示させる。調理終了確認画面４６０は、調理の終了の要否を問い合わせる「はい」および「いいえ」を記載している。ここで、「はい」が選択されて、スタート・決定ボタン３４２が操作されると、予約変更部１６２は、調理制御部１５０に調理の終了を指示する。また、「いいえ」が選択されて、スタート・決定ボタン３４２が操作されると、予約変更部１６２は、調理制御部１５０に調理の終了を指示しない。
【０１１８】
ここで、予約変更部１６２は、ユーザが設定した変更時刻の受け付けが可能であるか否かを以下のようにして判定する。予約変更部１６２は、具体的には、以下のように（１）〜（３）のそれぞれの場合に規定される時間範囲に変更時刻があるか否かで、変更時刻の受け付けが可能であるか否かを判定する。また、予約変更部１６２は、（４）の場合には、予約変更の可能な時間範囲外であるため、変更を受け付けない。
【０１１９】
（１）加熱調理終了時刻まで１時間以上ある場合
加熱調理終了時刻から加熱限界時刻までの時間範囲
（２）加熱調理終了時刻まで１時間未満である場合
現在時刻から１時間後より加熱限界時刻までの時間範囲
（３）加熱調理終了時刻から変更締切時刻（予約時刻の３０分前）まで
現在時刻から１時間後より加熱限界時刻までの時間範囲
（４）変更締切時刻以降である場合
変更不可
例えば、朝７時に予約時刻１４時で予約（加熱調理終了時刻：１０時）を開始した場合、予約時刻の変更が受け付け可能となるのは、７時から１３時３０分までである。
【０１２０】
ここで、現在時刻７時３０分に予約時刻を変更する場合、加熱調理終了時刻と現在時刻との差が１時間以上であることから、（１）の場合に相当するので、予約時刻の変更可能範囲は、１０時から１９時までとなる。
【０１２１】
また、現在時刻９時２０分に予約時刻を変更する場合、加熱調理終了時刻と現在時刻との差が１時間未満であることから、（２）の場合に相当するので、予約時刻の変更可能範囲は、１０時２０分から１９時までとなる。
【０１２２】
さらに、現在時刻１１時に予約時刻を変更する場合、（３）の場合に相当するので、予約変時刻の変更可能範囲は、１２時から１９時までとなる。
【０１２３】
以上のように、本実施形態に係る通信システム１００において、加熱調理器１は、予約変更部１６２を有することにより、予約時刻を変更することができる。これにより、帰宅予定が変わるなどの理由によって予約時刻を変更したい場合に、容易に予約時刻を変更することができる。
【０１２４】
また、予約時刻の変更要求をそのまま受け付けると、調理仕上がりの状態に加熱過多や加熱不足といった不具合が生じる虞がある。そこで、上述のように予約時刻の予約メニューの調理に支障を来さないと想定される時間範囲でしか予約時刻を変更できないように変更に制限を設けている。これにより、上記のような調理仕上がりの状態に不都合が生じることを抑制できる。
【０１２５】
〔実施形態３〕
本発明の他の実施形態について、図１および図１０に基づいて説明すれば、以下の通りである。なお、説明の便宜上、実施形態１および２にて説明した構成要素と同じ機能を有する構成要素については、同じ符号を付記し、その説明を省略する。
【０１２６】
図１０は、本実施形態に係る加熱調理器１Ｂのシステム構成を示すブロック図である。
【０１２７】
図１に示すように、本実施形態に係る通信システム１００は、加熱調理器１Ｂと、クラウドサーバ２００Ｂと、無線ＬＡＮアクセスポイント１０１と、インターネット１０２とを含んで構成されている。
【０１２８】
図１０に示すように、加熱調理器１Ｂは、実施形態２の加熱調理器１Ａにおける予約設定部１６０に代えて調理案内部１７０を有している。
【０１２９】
また、加熱調理器１ＢにおいてＲＯＭ１２は、調理手順データＣＰＤと、メニューデータＭＤ１とを記憶している。調理手順データＣＰＤは、メニューに応じて予め定められた調理の手順を出力するためのデータであり、表示パネル３４１に表示させる画面データとして用意されている。メニューデータＭＤは、実施形態２におけるメニューデータＭＤ（図８参照）と同じデータである。
【０１３０】
また、クラウドサーバ２００Ｂは、メニューデータＭＤ１とは異なるメニューについてのメニューデータＭＤ２を図示しない大容量の記憶装置に記憶している。
【０１３１】
調理案内部１７０は、ユーザに調理を案内するための情報を提供する機能を実現するために、調理手順出力制御部１７１と、メニュー検索部１７２とを有している。
【０１３２】
調理手順出力制御部１７１は、操作表示部３４によるユーザの操作に応じ、ＲＯＭ１２に記憶されている調理手順データＣＰＤに基づいて、調理の各工程を複数の工程画面を表示パネル３４１に順次表示させることにより、ユーザに調理手順を案内する。また、調理手順出力制御部１７１は、操作表示部３４によるユーザの操作に応じて、調理手順データＣＰＤに基づいて、調理の各工程の説明をスピーカ１０に音声出力させることにより、ユーザに調理手順を案内する。このため、調理手順出力制御部１７１は、後述する工程発話データをスピーカ駆動回路１５に出力する。スピーカ駆動回路１５は、工程発話データに基づいてスピーカ１０に音声を出力させる。
【０１３３】
調理手順データＣＰＤは、工程画面のデータである工程画面データと、各工程の説明を発話するための工程発話データとを含んでいる。
【０１３４】
工程画面データは、材料を表示する初期画面データ、材料を下ごしらえする下準備画面データ、材料および調味料を加熱調理器１Ｂの内鍋４に投入して内蓋３２および外蓋３１を閉じる操作画面データなどが用意されている。
【０１３５】
工程発話データは、上記の工程画面ごとに、各工程画面に示される工程を発話する音声データである。
【０１３６】
調理手順出力制御部１７１は、ユーザが操作表示部３４の第１送りボタン３４３を操作することによって、表示パネル３４１に表示される工程画面を送り方向に切り替えるとともに、表示された工程画面に応じた工程の説明をスピーカ１０に出力させる。また、調理手順出力制御部１７１は、ユーザが操作表示部３４の第２送りボタン３４４を操作することによって、表示パネル３４１に表示される工程画面を戻り方向に切り替えるとともに、表示された工程画面に応じた工程の説明をスピーカ１０に出力させる。
【０１３７】
メニュー検索部１７２は、操作表示部３４によるユーザの操作に応じて、メニューデータＭＤ１，ＭＤ２に基づいて、メニューを検索するための検索画面を表示パネル３４１に順次表示させることにより、ユーザが所望とするメニューを検索する。
【０１３８】
検索画面としては、初期選択画面と、区分画面と、メニュー画面とが少なくとも用意されている。初期選択画面は、カテゴリー、食材などを選択するために設けられている。区分画面は、カテゴリー（煮物、カレー・シチュー、スープなど）、食材（肉、魚介、野菜など）などを詳細に区分して記載した画面である。メニュー画面は、区分画面で区分された対象に応じたメニューを記載した画面である。また、メニュー画面には、クラウドサーバ２００Ｂからメニューを検索する項目が設けられている。
【０１３９】
また、メニュー検索部１７２は、メニュー画面が表示パネル３４１に表示されているときに、メニュー画面に含まれるメニューを推薦するメッセージをスピーカ１０に出力させる。
【０１４０】
ユーザは、操作表示部３４の第１送りボタン３４３および第２送りボタン３４４を操作することによって、表示パネル３４１に表示される各検索画面から１つの項目を選択し、スタート・決定ボタン３４２を操作する。調理手順出力制御部１７１は、この操作に応じて、表示パネル３４１に表示される検索画面を次の検索画面に切り替える。
【０１４１】
そして、ユーザは、メニュー画面が表示されているときに、クラウドサーバ２００Ｂからメニューを検索する項目を選択してスタート・決定ボタン３４２を操作する。すると、調理手順出力制御部１７１は、クラウドサーバ２００ＢのメニューデータＭＤ２を参照して、メニューデータＭＤ２に基づいたメニュー画面を新たに表示パネル３４１に表示させる。
【０１４２】
上記のように構成される加熱調理器１Ｂによれば、調理手順出力制御部１７１によって、所望の調理を行う際に、調理手順を容易に確認することができる。
【０１４３】
また、上記のように構成される加熱調理器１Ｂおよびクラウドサーバ２００Ｂによれば、クラウドサーバ２００Ｂに保存されている豊富なメニューを利用することができる。加熱調理器１ＢにおけるＲＯＭ１２は、記憶容量が少ないため、多数のメニューについてのメニューデータＭＤ１を記憶することができない。これに対し、クラウドサーバ２００Ｂは、大容量のメモリに多数のメニューについてのメニューデータＭＤ２を記憶している。それゆえ、加熱調理器１ＢのメニューデータＭＤ１と、クラウドサーバ２００ＢのメニューデータＭＤ２を合わせることで、豊富かつ最新のメニューをユーザに提供することが可能になる。
【０１４４】
〔ソフトウェアによる実現例〕
加熱調理器１，１Ａ，１Ｂの制御ブロック（対話制御部１１０、設定部１２０、ランプ点滅制御部１４０、調理制御部１５０、予約設定部１６０および調理案内部１７０）と、クラウドサーバ２００の制御ブロック（広告提供管理部２０３）とは、集積回路（ＩＣチップ）等に形成された論理回路（ハードウェア）によって実現してもよいし、ＣＰＵ（Central Processing Unit）を用いてソフトウェアによって実現してもよい。
【０１４５】
後者の場合、加熱調理器１，１Ａ，１Ｂおよびクラウドサーバ２００は、各機能を実現するソフトウェアであるプログラム（例えば広告出力プログラム、予約変更プログラム、調理案内プログラム）の命令を実行するＣＰＵ１１、上記プログラムおよび各種データがコンピュータ（またはＣＰＵ１１）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って（ロードして）実行することにより、本発明の目的が達成される。
【０１４６】
上記記録媒体としては、「一時的でない有形の媒体」、例えば、テープ、ディスク、カード、半導体メモリ、プログラマブルな論理回路などを用いることができる。また、上記の各プログラムは、該プログラムを伝送可能な任意の伝送媒体（通信ネットワークや放送波等）を介して上記コンピュータに供給されてもよい。なお、本発明は、各プログラムが電子的な伝送によって具現化された、搬送波に埋め込まれたデータ信号の形態でも実現され得る。また、本発明は、上記プログラムを内蔵するコンピュータプログラムプロダクトの形態でも実現され得る。
【０１４７】
〔まとめ〕
本発明の態様１に係る加熱調理器は、通信ネットワーク（インターネット１０２）を介してサーバ（クラウドサーバ２００）と通信可能に接続される加熱調理器１であって、情報を出力する出力装置（スピーカ１０，表示パネル３４１）と、前記サーバによって提供された質問を前記出力装置に出力させる質問出力制御部１１３と、前記質問に対して前記サーバに回答する質問回答部１１４と、前記質問に対する回答に応じて前記サーバから取得した広告を前記出力装置に出力させる広告出力制御部１１５と、を備えている。
【０１４８】
上記の構成によれば、質問に応じた広告を出力するので、ユーザのニーズにより沿った広告を提供することができる。したがって、広告効果をより高めることができる。
【０１４９】
本発明の態様２に係る加熱調理器は、上記態様１において、前記出力装置が、音声により広告を出力する音声出力装置を含み、前記広告出力制御部１１５が、前記音声出力装置の出力が設定されているときに、前記出力装置に広告を出力させ、前記音声出力装置の出力の停止が設定されているときに、前記出力装置に広告を出力させなくてもよい。
【０１５０】
上記の構成によれば、音声出力装置の出力の停止が設定されているときに、出力装置が広告を出力しない。これにより、出力装置のうち、広告の報知効果が最も高いと思われる音声出力装置のみが広告を出力しないことを回避することができる。
【０１５１】
本発明の態様３に係る加熱調理器は、上記態様２において、ユーザが行う操作によって前記サーバに前記質問の提供を要求する質問要求部をさらに備えていてもよい。
【０１５２】
上記の構成によれば、ユーザの所望に応じてサーバから質問を取得することができる。
【０１５３】
本発明の態様４に係る加熱調理器は、上記態様３において、前記広告出力制御部１１５が、前記音声出力装置の出力の停止が設定されているときに、ユーザが前記操作を行うと、前記音声出力装置の出力を設定するようにユーザに促してもよい。
【０１５４】
音声出力装置の出力の停止が設定されている状態では、この状態がユーザの意図しないものであっても、広告が出力されない。そこで、上記の構成によれば、音声出力装置の出力を設定するようにユーザに促すことで、ユーザは、広告の出力を希望すれば、音声出力装置の出力を設定するので、広告の出力が可能になる。
【０１５５】
本発明の態様５に係る加熱調理器は、上記態様１から４のいずれかにおいて、前記サーバが広告の提供を可能であることを報知する広告提供報知部（ランプ３４６ａ）をさらに備えていてもよい。
【０１５６】
上記の構成によれば、サーバが広告を提供できることを加熱調理器で確認することができる。これにより、サーバが広告を提供できるときにのみ、加熱調理器からサーバに広告の提供を要求することができる。
【０１５７】
本発明の態様６に係るサーバは、通信ネットワークを介して上記態様１から５のいずれかの加熱調理器と通信可能に接続されるサーバであって、前記加熱調理器１に提供する前記質問および前記加熱調理器１に提供する前記広告を記憶する記憶装置２０１と、前記記憶装置２０１に記憶された前記質問を前記加熱調理器１に提供する質問提供部２０３ｂと、前記質問に対して前記加熱調理器１から返送された前記回答に応じた前記広告を特定して前記加熱調理器１に提供する広告提供部２０３ｃと、を備えている。
【０１５８】
本発明の各態様に係る加熱調理器は、コンピュータによって実現してもよい。この場合には、コンピュータを上記加熱調理器が備える各部（ソフトウェア要素）として動作させる。これにより、上記加熱調理器をコンピュータにて実現させる調理予約プログラム、およびそれを記録したコンピュータ読み取り可能な記録媒体も、本発明の範疇に入る。
【０１５９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６０】
１  加熱調理器
１０  スピーカ（出力装置，音声出力装置）
１７  通信部
１０２  インターネット（通信ネットワーク）
１１２  質問要求部
１１３  質問出力制御部
１１４  質問回答部
１１５  広告出力制御部
２００  クラウドサーバ（サーバ）
３４１  表示パネル（出力装置）
３４６  問合せボタン
３４６ａ  ランプ（広告提供報知部）
【図１】
2019053910.tif 000003
【図２】
2019053910.tif 000004
【図３】
2019053910.tif 000005
【図４】
2019053910.tif 000006
【図５】
2019053910.tif 000007
【図６】
2019053910.tif 000008
【図７】
2019053910.tif 000009
【図８】
2019053910.tif 000010
【図９】
2019053910.tif 000011
【図１０】
2019053910.tif 000012
【国際調査報告】
2019053910.tif 000013
2019053910.tif 000014
2019053910.tif 000015
2019053910.tif 000016